(57)【要約】【課題】電話端末がサーバ上で未登録になってしまった場合にも、迅速に登録状態に復旧し得るネットワーク電話システムを提供する。【解決手段】ＳＩＰサーバ装置ＳＶＡにおいて、端末登録状態テーブル１１２の各ＳＩＰ端末Ｔ１〜Ｔｉの登録情報を常時監視し、Ｅｘｐｉｒｅｓ期限切れ又はＳＩＰサーバ装置ＳＶＡ自体の障害発生によりＳＩＰ端末Ｔ１の登録状態が「未登録」に変更されると、ＳＩＰ端末Ｔ１に対しＲＥＧＩＳＴＥＲ要求メッセージを送信し、このＲＥＧＩＳＴＥＲ要求メッセージによりＳＩＰ端末Ｔ１からＲＥＧＩＳＴＥＲが到来した場合に、端末登録状態テーブル１１２のＳＩＰ端末Ｔ１の登録状態を「登録済み」に再設定するようにしている。【選択図】      図２
2006157612.tif 000002
【特許請求の範囲】
【請求項１】
音声パケットを伝送する通信ネットワークに接続される複数の電話端末と、これら複数の電話端末間を前記通信ネットワークを介して接続し、前記複数の電話端末間で通信を行わせるサーバ装置とを備えるネットワーク電話システムであって、
前記サーバ装置は、
前記通信ネットワークに接続される複数の電話端末それぞれを示す識別情報に対応付けて、前記通信ネットワークを介して通信可能である旨を示す複数の登録情報を記録媒体に記憶する記憶手段と、
前記記録媒体に記憶された前記複数の登録情報のうち少なくとも一登録情報が消去されたことを検出する検出手段と、
この検出手段により前記複数の登録情報のうち少なくとも一登録情報消去が検出されたとき、該当する電話端末に対し、登録情報の取得要求を送信する要求送信手段と、
前記取得要求の送出に対し要求先の電話端末から送られた前記登録情報及び前記識別情報を受信し、前記記録媒体に記録する処理手段とを備え、
前記複数の電話端末の各々は、
前記サーバ装置から前記取得要求が送られた場合に、当該取得要求に応じて登録情報を自己の識別情報と共に前記サーバ装置へ送信する情報送信手段を備えることを特徴とするネットワーク電話システム。
【請求項２】
前記記憶手段は、前記登録情報に加えて、前記登録情報の使用有効期限情報を前記識別情報に対応付けて記録媒体に記憶し、
前記検出手段は、前記使用有効期限情報により前記登録情報が前記記録媒体から消去されたことを検出し、
前記要求送信手段は、前記登録情報が前記記録媒体から消去されたとき、該当する電話端末に対し、登録情報の取得要求を送信することを特徴とする請求項１記載のネットワーク電話システム。
【請求項３】
前記電話端末の情報送信手段は、前記サーバ装置から前記取得要求が送られた場合に、必要に応じて前記サーバ装置に対し登録拒否するための拒否信号を送信し、
前記サーバ装置の処理手段は、要求先の電話端末から送られた前記拒否信号を受信した場合に、該当する電話端末を未登録状態に設定することを特徴とする請求項１記載のネットワーク電話システム。
【請求項４】
前記処理手段は、前記取得要求の送出タイミングから所定時間内に該当する電話端末から前記登録情報及び前記識別情報を受信できない場合に、該当する電話端末を未登録状態に設定することを特徴とする請求項１記載のネットワーク電話システム。
【請求項５】
さらに、前記サーバ装置は、
前記記録媒体上で未登録となっている電話端末から前記通信ネットワークの使用要求が送られてきた場合に、要求元の電話端末に対し前記通信ネットワークを使用できない旨を示すエラーメッセージを送出し、しかる後に前記登録情報の取得要求を送出するエラー送信手段を備え、
前記処理手段は、前記取得要求の送出に対し要求先の電話端末から前記登録情報及び前記識別情報が送られた場合に、前記登録情報を該当する識別情報に対応付けて前記記録媒体に記録することを特徴とする請求項１記載のネットワーク電話システム。
【請求項６】
音声パケットを伝送する通信ネットワークに接続される複数の電話端末と、これら複数の電話端末間を前記通信ネットワークを介して接続し、前記複数の電話端末間で通信を行わせるサーバ装置とを備えるネットワーク電話システムで使用されるサーバ装置であって、
前記通信ネットワークに接続される複数の電話端末それぞれを示す識別情報に対応付けて、前記通信ネットワークを介して通信可能である旨を示す複数の登録情報を記録媒体に記憶する記憶手段と、
前記記録媒体に記憶された前記複数の登録情報のうち少なくとも一登録情報が消去されたことを検出する検出手段と、
この検出手段により前記複数の登録情報のうち少なくとも一登録情報消去が検出されたとき、該当する電話端末に対し、登録情報の取得要求を送信する要求送信手段と、
前記取得要求の送出に対し要求先の電話端末から送られた前記登録情報及び前記識別情報を受信し、前記記録媒体に記録する処理手段とを具備したことを特徴とするネットワーク電話システムのサーバ装置。
【請求項７】
前記記憶手段は、前記登録情報に加えて、前記登録情報の使用有効期限情報を前記識別情報に対応付けて記録媒体に記憶し、
前記検出手段は、前記使用有効期限情報により前記登録情報が前記記録媒体から消去されたことを検出し、
前記要求送信手段は、前記登録情報が前記記録媒体から消去されたとき、該当する電話端末に対し、登録情報の取得要求を送信することを特徴とする請求項６記載のネットワーク電話システムのサーバ装置。
【請求項８】
前記処理手段は、要求先の電話端末から送られた前記拒否信号を受信した場合に、該当する電話端末を未登録状態に設定することを特徴とする請求項６記載のネットワーク電話システムのサーバ装置。
【請求項９】
前記処理手段は、前記取得要求の送出タイミングから所定時間内に該当する電話端末から前記登録情報及び前記識別情報を受信できない場合に、該当する電話端末を未登録状態に設定することを特徴とする請求項６記載のネットワーク電話システムのサーバ装置。
【請求項１０】
さらに、前記記録媒体上で未登録となっている電話端末から前記通信ネットワークの使用要求が送られてきた場合に、要求元の電話端末に対し前記通信ネットワークを使用できない旨を示すエラーメッセージを送出し、しかる後に前記登録情報の取得要求を送出するエラー送信手段を備え、
前記処理手段は、前記取得要求の送出に対し要求先の電話端末から前記登録情報及び前記識別情報が送られた場合に、前記登録情報を該当する識別情報に対応付けて前記記録媒体に記録することを特徴とする請求項６記載のネットワーク電話システムのサーバ装置。
【請求項１１】
音声パケットを伝送する通信ネットワークに接続される複数の電話端末と、これら複数の電話端末間を前記通信ネットワークを介して接続し、前記複数の電話端末間で通信を行わせるサーバ装置とを備えるネットワーク電話システムで使用される電話端末であって、
前記通信ネットワークを介して通信可能である旨を示す登録情報の取得要求が前記サーバ装置から送られた場合に、当該取得要求に応じて登録情報を電話端末を示す識別情報と共に前記サーバ装置へ送信する情報送信手段を備えることを特徴とするネットワーク電話システムの電話端末。
【請求項１２】
前記情報送信手段は、前記サーバ装置から前記取得要求が送られた場合に、必要に応じて前記サーバ装置に対し登録拒否するための拒否信号を送信することを特徴とする請求項１１記載のネットワーク電話システムの電話端末。
【発明の詳細な説明】
【技術分野】
【０００１】
この発明は、例えばＶＯＩＰ(Voice Over Internet Protocol）電話システム等のように、ＩＰ網を介して電話端末間で音声通信を行うネットワーク電話システム及びこのネットワーク電話システムのサーバ装置及び電話端末に関する。
【背景技術】
【０００２】
近年、パケット網を介して、双方向に画像や音声をパケットデータとして、リアルタイムに送受信するネットワーク電話システム（ＶＯＩＰ電話システム）が普及し始めている。このＶＯＩＰ電話システムでは、そのプロトコルとしてＳＩＰ（Session Initiation Protocol）が広く使われている。
【０００３】
この種のシステムでは、パケット網に接続される端末（以下、ＳＩＰ端末と称する）のアドレスをパケット網上のサーバ（以下、ＳＩＰサーバと称する）に予め登録しておき、ＳＩＰ端末間で通話を行う際に、上記登録されたアドレスを基にＳＩＰサーバがＳＩＰ端末の認証を行うようにしている。
【０００４】
ところで、上記システムでは、以下の状況によりＳＩＰサーバに登録したにも関わらず未登録になり、通話ができない状態になる場合がある。  
（１）Ｅｘｐｉｒｅｓ（メッセージの有効時間）期限切れ後、一時的なネットワーク障害等によりＳＩＰ端末からの再ＲＥＧＩＳＴＥＲがＳＩＰサーバに届かず、ＳＩＰ端末がＳＩＰサーバ上で未登録になってしまう。  
（２）ＳＩＰサーバに障害が発生してＳＩＰ端末の登録／未登録情報が消去され、登録済みの全ＳＩＰ端末がＳＩＰサーバ上で未登録になってしまう。
【０００５】
この場合、ＳＩＰ端末側で再起動してＳＩＰサーバに対しＲＥＧＩＳＴＥＲを出さない限り、ＳＩＰ端末は未登録のまま長時間にわたって放置されることになる。また、ＳＩＰ端末が発着信不能となる。
【０００６】
そこで、従来では、ＳＩＰサーバから各ＳＩＰ端末に対し、一定時間間隔で着信指示を行ない、再登録させる手法が提案されている（例えば、特許文献１）。
【特許文献１】特開２００３−３０４３４５号公報。
【発明の開示】
【発明が解決しようとする課題】
【０００７】
ところが、上記手法では、ＳＩＰサーバ側から各ＳＩＰ端末に対し、常に一定時間間隔で着信指示を行うため、ＳＩＰサーバの処理負担が増大してしまうことになる。また、万一未登録になった場合に、リアルタイムで登録することができないという問題点がある。
【０００８】
そこで、この発明の目的は、電話端末がサーバ上で未登録になってしまった場合にも、迅速に登録状態に復旧し得るネットワーク電話システムとこのネットワーク電話システムのサーバ装置及び電話端末を提供することにある。
【課題を解決するための手段】
【０００９】
この発明は、上記目的を達成するために、以下のように構成される。  
音声パケットを伝送する通信ネットワークに接続される複数の電話端末と、これら複数の電話端末間を通信ネットワークを介して接続し、複数の電話端末間で通信を行わせるサーバ装置とを備えるネットワーク電話システムであって、サーバ装置は、通信ネットワークに接続される複数の電話端末それぞれを示す識別情報に対応付けて、通信ネットワークを介して通信可能である旨を示す複数の登録情報を記録媒体に記憶する記憶手段と、記録媒体に記憶された複数の登録情報のうち少なくとも一登録情報が消去されたことを検出する検出手段と、この検出手段により複数の登録情報のうち少なくとも一登録情報消去が検出されたとき、該当する電話端末に対し、登録情報の取得要求を送信する要求送信手段と、取得要求の送出に対し要求先の電話端末から送られた登録情報及び識別情報を受信し、記録媒体に記録する処理手段とを備え、複数の電話端末の各々は、サーバ装置から取得要求が送られた場合に、当該取得要求に応じて登録情報を自己の識別情報と共にサーバ装置へ送信する情報送信手段を備えるようにしたものである。
【００１０】
この構成によれば、記録媒体上の各電話端末の登録情報が常時監視されることになる。そして、少なくとも一つの登録情報が未登録になると、サーバ装置から該当する電話端末に対し登録情報の取得要求が送出され、この取得要求により該当する電話端末から登録情報が到来した場合に、サーバ装置の記録媒体上に登録情報が再登録されることになる。
【００１１】
従って、何らかの障害によりサーバ装置の記録媒体上で未登録が検出されるごとに、未登録となった電話端末から登録情報をリアルタイムに取得することができ、これにより未登録となった電話端末のユーザが手操作で再起動を行うことなく、自動的に未登録の電話端末が登録状態になり、通常通り通話を行えるようになる。
【００１２】
記憶手段は、登録情報に加えて、登録情報の使用有効期限情報を識別情報に対応付けて記録媒体に記憶し、検出手段は、使用有効期限情報により登録情報が記録媒体から消去されたことを検出し、要求送信手段は、登録情報が記録媒体から消去されたとき、該当する電話端末に対し、登録情報の取得要求を送信することを特徴とする。
【００１３】
この構成によれば、サーバ装置が記録媒体上で管理している使用有効期限情報により登録情報が記録媒体から消去された場合にも、サーバ装置から該当する電話端末に対し登録情報の取得要求を送信することで、自動的に未登録の電話端末が登録状態になり、通常通り通話を行えるようになる。
【００１４】
電話端末の情報送信手段は、サーバ装置から取得要求が送られた場合に、必要に応じてサーバ装置に対し登録拒否するための拒否信号を送信し、サーバ装置の処理手段は、要求先の電話端末から送られた拒否信号を受信した場合に、該当する電話端末を未登録状態に設定することを特徴とする。
【００１５】
この構成によれば、サーバ装置の記録媒体上で未登録となりサーバ装置から登録情報の取得要求が送られてくるごとに該当する電話端末のユーザが自身で登録が必要か否かを判断して指示することができ、これにより真に必要な電話端末のみ登録状態にすることが可能となる。
【００１６】
処理手段は、取得要求の送出タイミングから所定時間内に該当する電話端末から登録情報及び識別情報を受信できない場合に、該当する電話端末を未登録状態に設定することを特徴とする。
【００１７】
この構成によれば、取得要求の送出タイミングから所定時間内に該当する電話端末から登録情報及び識別情報を受信できない場合に、該当する電話端末が使用されていないと判断して未登録状態に設定することができる。
【００１８】
さらに、サーバ装置は、記録媒体上で未登録となっている電話端末から通信ネットワークの使用要求が送られてきた場合に、要求元の電話端末に対し通信ネットワークを使用できない旨を示すエラーメッセージを送出し、しかる後に登録情報の取得要求を送出するエラー送信手段を備え、処理手段は、取得要求の送出に対し要求先の電話端末から登録情報及び識別情報が送られた場合に、登録情報を該当する識別情報に対応付けて記録媒体に記録することを特徴とする。
【００１９】
この構成によれば、一度未登録となった電話端末を使用する場合に、ユーザは使用する電話端末が未登録であることを確認することができる。また、その際にサーバ装置から該当する電話端末に対し登録情報の取得要求を送るようにしているので、ユーザは取得要求に従って登録情報をサーバ装置に通知することによって再度電話端末にて通話を行うことができる。
【発明の効果】
【００２０】
以上詳述したようにこの発明によれば、電話端末がサーバ上で未登録になってしまった場合にも、迅速に登録状態に復旧し得るネットワーク電話システムとこのネットワーク電話システムのサーバ装置及び電話端末を提供することができる。
【発明を実施するための最良の形態】
【００２１】
以下、この発明の実施形態について図面を参照して詳細に説明する。  
（第１の実施形態）  
図１は、この発明に係わるネットワーク電話システムの第１の実施形態を示す概略構成図である。  
このシステムは、ＩＰ網ＩＰＮを有する。このＩＰ網ＩＰＮには、複数のＳＩＰ端末Ｔ１〜Ｔｉ（ｉは自然数）が接続されている。また、ＩＰ網ＩＰＮには、ＳＩＰサーバ装置ＳＶＡが接続されている。ＳＩＰサーバ装置ＳＶＡは、ＳＩＰ端末Ｔ１〜Ｔｉに対するＩＰアドレスの割り当て機能と、ＳＩＰ端末Ｔ１〜Ｔｉに対する呼制御機能とを有し、さらに各ＳＩＰ端末Ｔ１〜Ｔｉに割り当てたアドレスの管理機能を有している。
【００２２】
図２は、上記ＳＩＰサーバ装置ＳＶＡの機能構成を示すブロック図である。  
ＳＩＰサーバ装置ＳＶＡは、不揮発性の記録媒体からなる記憶部１１と、未登録検出部１２と、登録要求メッセージ作成部１３と、通信制御部１４と、登録情報更新処理部１５とを備えている。
【００２３】
このうち、記憶部１１には、端末情報用テーブル１１１と、端末登録状態テーブル１１２とが設けられている。端末情報用テーブル１１１には、図３に示すように、ＳＩＰ端末Ｔ１〜Ｔｉに対応付けて、ＵＲＩ及びＩＰアドレスが格納されている。端末登録状態テーブル１１２には、図４に示すように、ＳＩＰ端末Ｔ１〜Ｔｉに対応付けて、登録状態を示す情報と、コンタクトアドレスと、登録の使用有効期限を示すＥｘｐｉｒｅｓ期限情報とが格納されている。
【００２４】
未登録検出部１２は、端末登録状態テーブル１１２中の登録状態が登録済みから未登録に変更されるか否かを検出する。登録要求メッセージ作成部１３は、上記未登録検出部１２において、端末登録状態テーブル１１２中の登録状態が登録済みから未登録に変更された場合に、その旨のメッセージと共に未登録となった例えばＳＩＰ端末Ｔ２のＵＲＩ及びＩＰアドレスを含むＲＥＧＩＳＴＥＲ要求メッセージを作成する。
【００２５】
通信制御部１４は、ＩＰ網ＩＰＮを介して各ＳＩＰ端末Ｔ１〜Ｔｉとの間で通信を行うもので、該当するＳＩＰ端末Ｔ２に対しＲＥＧＩＳＴＥＲ要求メッセージを送出すると共に、このＲＥＧＩＳＴＥＲ要求に応じてＳＩＰ端末Ｔ２が送信する登録情報としてのＲＥＧＩＳＴＥＲを受信する。なお、このＲＥＧＩＳＴＥＲには、登録を要求する旨のメッセージとＳＩＰ端末Ｔ２のＵＲＩ及びＩＰアドレスが含まれている。
【００２６】
登録情報更新処理部１５は、ＳＩＰ端末Ｔ２からＲＥＧＩＳＴＥＲが送られてきた場合に、このＲＥＧＩＳＴＥＲの内容に従って、端末登録状態テーブル１１２中のＳＩＰ端末Ｔ２に対応する登録状態を「未登録」から「登録済み」へ更新する。
【００２７】
一方、図５は、上記複数のＳＩＰ端末Ｔ１〜Ｔｉの機能構成を示すブロック図である。ここでは、ＳＩＰ端末Ｔ１を代表して説明する。  
ＳＩＰ端末Ｔ１は、ＩＰ網インタフェース（Ｉ／Ｆ）部２１と、音声パケット処理部２２と、音声入出力インタフェース（Ｉ／Ｆ）部２３と、制御部２４と、操作パネル２５とを備えている。
【００２８】
ＩＰ網インタフェース部２１は、ＩＰ網ＩＰＮに関するインタフェース動作を行なう。つまり、ＩＰ網インタフェース部２１は、ＩＰ網ＩＰＮから送られてきた伝送パケットから音声パケットや制御データを抽出し、音声パケットを音声パケット処理部２２へ、また制御データを制御部２４へと与える。またＩＰ網インタフェース部２１は、音声パケット処理部２２から与えられる音声パケットや制御部２４から与えられるデータをＩＰ網ＩＰＮに送信する。
【００２９】
音声パケット処理部２２は、ＩＰ網インタフェース部２１から与えられる音声パケットをアナログの受話音声信号に変換して音声入出力インタフェース部２３に与える。また、音声パケット処理部２２は、音声入出力インタフェース部２３から入力された送話音声信号をＩＰ網ＩＰＮで取り扱い可能な音声パケットに変換してＩＰ網インタフェース部２１に与える。
【００３０】
音声入出力インタフェース部２３には、マイクロホン２６及びスピーカ２７が接続されている。音声入出力インタフェース部２３は、マイクロホン２６により入力された送話音声信号を音声パケット処理部２２に入力すると共に、音声パケット処理部２２から出力された受話音声信号をスピーカ２７から拡声出力する。
【００３１】
制御部２４は、ソフトウェア処理によりＳＩＰ端末Ｔ１の各部の制御やＩＰ網ＩＰＮとの間での通信処理を行なう。
【００３２】
操作パネル２５は、キースイッチを有し、ユーザによる制御部２４に対する各種の指示入力を受け付ける。表示部２８は、ＬＣＤ等からなり、ユーザに対し各種の情報報知を行なうものである。
【００３３】
ところで、制御部２４は、要求通知機能２４１と、登録メッセージ作成機能２４２と、メッセージ送信機能２４３とを備えている。要求通知機能２４１は、ＳＩＰサーバ装置ＳＶＡからＲＥＧＩＳＴＥＲ要求メッセージが到来した場合に、その旨のメッセージをＵＲＩ及びＩＰアドレスと共に表示部２８に表示させる。
【００３４】
登録メッセージ作成機能２４２は、操作パネル２５からの登録指示に応じてＳＩＰサーバ装置ＳＶＡに対するＲＥＧＩＳＴＥＲを作成する。メッセージ送信機能２４３は、ＳＩＰサーバ装置ＳＶＡに対し作成されたＲＥＧＩＳＴＥＲを送出する。なお、登録メッセージ作成機能２４２は、操作パネル２５から登録を拒否する指示が入力された場合に、エラーメッセージ（４８１  Ｓｕｂｓｃｒｉｐｔｉｏｎ  ｄｏｅｓ  ｎｏｔ  ｅｘｉｓｔ）を作成する。
【００３５】
次に、上記構成における処理動作について説明する。  
図６は、各ＳＩＰ端末Ｔ１〜ＴｉをＳＩＰサーバ装置ＳＶＡに登録する際のＳＩＰサーバ装置ＳＶＡの処理手順を示すフローチャートである。
【００３６】
例えばＳＩＰ端末Ｔ１またはパーソナル・コンピュータによりＳＩＰ端末Ｔ１を登録するための接続が行われると（ステップＳＴ６ａ）、ＳＩＰサーバ装置ＳＶＡはＳＩＰ端末Ｔ１のＵＲＩを端末情報用テーブル１１１に設定登録し（ステップＳＴ６ｂ）、ＵＲＩのホスト部がＩＰアドレスでないか否かの判断を行う（ステップＳＴ６ｃ）。
【００３７】
ここで、ＩＰアドレスでない場合（Ｙｅｓ）、ＳＩＰサーバ装置ＳＶＡはＩＰアドレス管理テーブルが内部にあるか否かを判断し（ステップＳＴ６ｄ）、内部にある場合にはＩＰアドレス管理テーブルを参照して、ドメイン名をＩＰアドレスに変換して（ステップＳＴ６ｅ）、このＩＰアドレスを端末情報用テーブル１１１に登録する（ステップＳＴ６ｆ）。
【００３８】
また、ＩＰアドレス管理テーブルが内部にない場合には、ＳＩＰサーバ装置ＳＶＡは外部のＤＮＳサーバに問い合わせを行って、ＩＰアドレスを取得する（ステップＳＴ６ｇ）。
【００３９】
次に、上記構成において、図７及び図８を参照して未登録になったＳＩＰ端末Ｔ１〜Ｔｉを登録する際のＳＩＰサーバ装置ＳＶＡとＳＩＰ端末Ｔ１〜Ｔｉとの間の処理の流れを説明する。なお、図７は例えばＳＩＰ端末Ｔ１がＳＩＰサーバ装置ＳＶＡに対し登録指示を行う例であり、図８は例えばＳＩＰ端末Ｔ１がＳＩＰサーバ装置ＳＶＡに対し登録を拒否する指示を行う例である。また、ここではすでにＳＩＰ端末Ｔ１〜Ｔｉについての登録状態、コンタクトアドレス及びＥｘｐｉｒｅｓ期限情報が端末登録状態テーブル１１２に設定登録されているものとして説明する。
【００４０】
未登録になったＳＩＰ端末Ｔ１〜Ｔｉを登録する際、ＳＩＰサーバ装置ＳＶＡは図９に示す処理手順を実行する。
【００４１】
ＳＩＰサーバ装置ＳＶＡは、端末登録状態テーブル１１２中の各ＳＩＰ端末Ｔ１〜Ｔｉの登録状態を監視しており、Ｅｘｐｉｒｅｓ期限切れになるか又はＳＩＰサーバ装置ＳＶＡに障害が発生して例えばＳＩＰ端末Ｔ１の登録状態が「登録済み」から「未登録」に変更されてしまうと（ステップＳＴ９ａ）、ＳＩＰ端末Ｔ１のＵＲＩ及びＩＰアドレスを含めたＲＥＧＩＳＴＥＲ要求メッセージを作成する（ステップＳＴ９ｂ）。そして、作成したＲＥＧＩＳＴＥＲ要求メッセージをＳＩＰ端末Ｔ１に送信する（ステップＳＴ９ｃ）。
【００４２】
続いて、ＳＩＰサーバ装置ＳＶＡは、ＲＥＧＩＳＴＥＲ要求メッセージを送信してから一定時間以内にＳＩＰ端末Ｔ１からＲＥＧＩＳＴＥＲが送られてくるか否かを監視し（ステップＳＴ９ｄ）、ＲＥＧＩＳＴＥＲが送られてきた場合に（Ｙｅｓ）、端末登録状態テーブル１１２中のＳＩＰ端末Ｔ１に対応する登録状態を「未登録」から「登録済み」に更新する（ステップＳＴ９ｅ）。そして、更新後に、ＳＩＰ端末Ｔ１に対し登録処理が正常に行われた旨を示す正常終了通知（２００ＯＫ）を送信する。
【００４３】
一方、上記ステップＳＴ９ｄにおいて、ＳＩＰ端末Ｔ１からエラーメッセージが送られてきた場合や一定時間内にＲＥＧＩＳＴＥＲが送られてこない場合には（Ｎｏ）、ＳＩＰサーバ装置ＳＶＡは端末登録状態テーブル１１２中のＳＩＰ端末Ｔ１に対応する登録状態を「未登録」に維持する（ステップＳＴ９ｆ）。
【００４４】
これに対し、ＳＩＰ端末Ｔ１は図１０に示す処理手順を実行する。
【００４５】
すなわち、ＳＩＰ端末Ｔ１はＳＩＰサーバ装置ＳＶＡから到来するＲＥＧＩＳＴＥＲ要求メッセージを受信すると（ステップＳＴ１０ａ）、未登録にされた旨のメッセージとＳＩＰ端末Ｔ１のＵＲＩ及びＩＰアドレスを表示部２８に供給して表示させる（ステップＳＴ１０ｂ）。従って、この表示によりユーザはＳＩＰ端末Ｔ１が何らかの障害で未登録になったことをリアルタイムに知ることができる。
【００４６】
この状態でユーザが、ＳＩＰサーバ装置ＳＶＡに登録するべく操作パネル２５において登録指示を入力したとする。そうするとＳＩＰ端末Ｔ１は、ステップＳＴ１０ｃからステップＳＴ１０ｄに移行してＲＥＧＩＳＴＥＲを作成し、ＩＰ網ＩＰＮを介してＳＩＰサーバ装置ＳＶＡに対しＲＥＧＩＳＴＥＲを送信する（ステップ１０ｅ）。このＲＥＧＩＳＴＥＲには、ＳＩＰ端末Ｔ１のＵＲＩ及びＩＰアドレスが含まれる。
【００４７】
なお、上記ステップＳＴ１０ｃにおいて、登録を拒否するべく操作パネル２５において登録拒否指示を入力したとする。そうするとＳＩＰ端末Ｔ１は、ステップＳＴ１０ｃからステップＳＴ１０ｆに移行してエラーメッセージを作成し、ＩＰ網ＩＰＮを介してＳＩＰサーバ装置ＳＶＡに対しエラーメッセージを送信する（ステップ１０ｇ）。このエラーメッセージには、ＳＩＰ端末Ｔ１のＵＲＩ及びＩＰアドレスが含まれる。
【００４８】
以上のように上記第１の実施形態では、ＳＩＰサーバ装置ＳＶＡにおいて、端末登録状態テーブル１１２の各ＳＩＰ端末Ｔ１〜Ｔｉの登録情報を常時監視し、Ｅｘｐｉｒｅｓ期限切れ又はＳＩＰサーバ装置ＳＶＡ自体の障害発生によりＳＩＰ端末Ｔ１の登録状態が「未登録」に変更されると、ＳＩＰ端末Ｔ１〜Ｔｉに対しＲＥＧＩＳＴＥＲ要求メッセージを送信し、このＲＥＧＩＳＴＥＲ要求メッセージによりＳＩＰ端末Ｔ１〜ＴｉからＲＥＧＩＳＴＥＲが到来した場合に、端末登録状態テーブル１１２のＳＩＰ端末Ｔ１〜Ｔｉの登録状態を「登録済み」に再設定するようにしている。
【００４９】
従って、何らかの障害によりＳＩＰサーバ装置ＳＶＡの端末登録状態テーブル１１２で未登録が検出されるごとに、未登録となったＳＩＰ端末Ｔ１〜ＴｉからＲＥＧＩＳＴＥＲをリアルタイムに取得することができ、これにより未登録となったＳＩＰ端末Ｔ１のユーザが手操作で再起動を行うことなく、自動的に未登録のＳＩＰ端末Ｔ１が登録状態になり、通常通り通話を行えるようになる。
【００５０】
また、上記第１の実施形態では、ＳＩＰサーバ装置ＳＶＡの端末登録状態テーブル１１２で未登録となりＳＩＰサーバ装置ＳＶＡからＲＥＧＩＳＴＥＲ要求メッセージが送られてくるごとに該当するＳＩＰ端末Ｔ１のユーザが自身で登録が必要か否かを判断して指示するようにしている。このため、ＳＩＰサーバ装置ＳＶＡでは真に必要なＳＩＰ端末Ｔ１〜Ｔｉのみ登録状態にすることができる。
【００５１】
（第２の実施形態）  
図１１は、この発明の第２の実施形態として、ＳＩＰサーバ装置ＳＶＢの機能構成を示すブロック図である。なお、図１１において、図２と同一部分には同一符号を付して詳細な説明を省略する。
【００５２】
すなわち、ＳＩＰサーバ装置ＳＶＢには、未登録対応処理部３１が設けられている。この未登録対応処理部３１は、端末登録状態テーブル１１２で未登録となっている例えばＳＩＰ端末Ｔ２からＩＰ網ＩＰＮの使用要求（ＩＮＶＩＴＥ）が送られてきた場合に、通信制御部１４を制御してＳＩＰ端末Ｔ２に対しＩＰ網ＩＰＮを使用できない旨を示すエラーメッセージ（４０４  ＮｏｔＦｏｕｎｄ）を送出させ、しかる後に登録要求メッセージ作成部１３及び通信制御部１４を制御してＲＥＧＩＳＴＥＲ要求メッセージを送出させる。
【００５３】
次に、上記構成における処理動作について説明する。ここでは、図１１を参照して未登録になったＳＩＰ端末Ｔ２から通話要求が行われた際のＳＩＰサーバ装置ＳＶＢとＳＩＰ端末Ｔ２との間の処理の流れを説明する。ここでは、端末情報用テーブル１１１にＳＩＰ端末Ｔ２のＵＲＩのみが設定登録されているものとする。
【００５４】
すなわち、ＳＩＰ端末Ｔ２からＩＮＶＩＴＥを受信すると、ＳＩＰサーバ装置ＳＶＢはエラーメッセージをＳＩＰ端末Ｔ２に送信し、しかる後にＲＥＧＩＳＴＥＲ要求メッセージをＳＩＰ端末Ｔ２に送信する。
【００５５】
一方、ＳＩＰ端末Ｔ２では、ＳＩＰサーバ装置ＳＶＢから到来するエラーメッセージを受信すると、ＩＰ網ＩＰＮを使用できない旨のメッセージとＳＩＰ端末Ｔ２のＵＲＩを表示部２８に供給して表示させる。従って、この表示によりユーザはＳＩＰ端末Ｔ２が既に未登録になっていることを知ることができる。
【００５６】
続いて、ＳＩＰ端末Ｔ２は、ＲＥＧＩＳＴＥＲ要求メッセージを受信すると、登録操作手順を示すメッセージとＳＩＰ端末Ｔ２のＵＲＩ及びＩＰアドレスを表示部２８に供給して表示させる。従って、この表示によりユーザはＳＩＰ端末Ｔ２を再度ＳＩＰサーバ装置ＳＶＢに登録することができる。
【００５７】
この状態でユーザが、ＳＩＰサーバ装置ＳＶＢに登録するべく操作パネル２５において登録指示を入力したとする。そうするとＳＩＰ端末Ｔ２は、ＲＥＧＩＳＴＥＲを作成し、ＩＰ網ＩＰＮを介してＳＩＰサーバ装置ＳＶＢに対しＲＥＧＩＳＴＥＲを送信する。このＲＥＧＩＳＴＥＲには、ＳＩＰ端末Ｔ２のＵＲＩ及びＩＰアドレスが含まれる。
【００５８】
以上のように上記第２の実施形態であれば、一度未登録となったＳＩＰ端末Ｔ２を使用する場合に、ＳＩＰサーバ装置ＳＶＢからＳＩＰ端末Ｔ２に対しＩＰ網ＩＰＮを使用できない旨のメッセージと再度登録するためのＲＥＧＩＳＴＥＲ要求メッセージが送られてくるので、ユーザは使用するＳＩＰ端末Ｔ２が未登録であることを確認することができると共に、ＲＥＧＩＳＴＥＲ要求メッセージに従ってＲＥＧＩＳＴＥＲをＳＩＰサーバ装置ＳＶＢに通知することによって再度ＳＩＰ端末Ｔ２にて通話を行うことができる。
【００５９】
（その他の実施形態）  
この発明は、上記各実施形態に限定されるものではない。例えば上記各実施形態では、端末情報用テーブル及び端末登録状態テーブルを用いる例について説明したが、端末登録状態テーブルのみを用いる例であってもよい。
【００６０】
また、上記各実施形態では、ＲＥＧＩＳＴＥＲ要求メッセージが送られた時点で、ＳＩＰ端末からＳＩＰサーバ装置へ自動的にＲＥＧＩＳＴＥＲを送出して該当する登録状態を「登録済み」に更新するように構成してもよい。
【００６１】
また、上記各実施形態では、ＳＩＰを用いたシステムを例にとって説明したが、それに限るものではなく、ＳＩＰ以外のシステムにも適用可能である。
【００６２】
その他、サーバ装置及び電話端末の種類や構成、再度登録を行う際のサーバ装置及び電話端末の制御手順とその内容等についても、この発明の要旨を逸脱しない範囲で種々変形して実施できる。
【図面の簡単な説明】
【００６３】
【図１】この発明に係わるネットワーク電話システムの第１の実施形態を示す概略構成図。
【図２】同第１の実施形態のＳＩＰサーバ装置の機能構成を示すブロック図。
【図３】図２に示す端末情報用テーブルの記憶内容の一例を示す図。
【図４】図２に示す端末登録状態テーブルの記憶内容の一例を示す図。
【図５】同第１の実施形態のＳＩＰ端末の機能構成を示すブロック図。
【図６】同第１の実施形態において、各ＳＩＰ端末をＳＩＰサーバ装置に登録する際のＳＩＰサーバ装置の処理手順を示すフローチャート。
【図７】ＳＩＰ端末がＳＩＰサーバ装置に対し登録指示を行う動作を説明するために示す図。
【図８】ＳＩＰ端末がＳＩＰサーバ装置に対し登録を拒否する指示を行う動作を説明するために示す図。
【図９】同第１の実施形態において、未登録になったＳＩＰ端末を登録する際、ＳＩＰサーバ装置の制御手順及び制御内容を示すフローチャート。
【図１０】同第１の実施形態において、ＳＩＰ端末の制御手順及び制御内容を示すフローチャート。
【図１１】この発明の第２の実施形態として、ＳＩＰサーバ装置の機能構成を示すブロック図。
【図１２】同第２の実施形態において、未登録になったＳＩＰ端末から通話要求が行われた際のＳＩＰサーバ装置とＳＩＰ端末との間の処理の流れを説明するために示す図。
【符号の説明】
【００６４】
１１…記憶部、１２…未登録検出部、１３…登録要求メッセージ作成部、１４…通信制御部、１５…登録情報更新処理部、２１…ＩＰ網インターフェース部、２２…音声パケット処理部、２３…音声入出力インタフェース部、２４…制御部、２５…操作パネル、２６…マイクロホン、２７…スピーカ、２８…表示部、１１１…端末情報用テーブル、１１２…端末登録状態テーブル、２４１…要求通知機能、２４２…登録メッセージ作成機能、２４３…メッセージ送信機能、３１…未登録対応処理部、Ｔ１〜Ｔｉ…ＳＩＰ端末、ＳＶＡ，ＳＶＢ…ＳＩＰサーバ装置、ＩＰＮ…ＩＰ網。
【図１】
2006157612.tif 000003
【図２】
2006157612.tif 000004
【図３】
2006157612.tif 000005
【図４】
2006157612.tif 000006
【図５】
2006157612.tif 000007
【図６】
2006157612.tif 000008
【図７】
2006157612.tif 000009
【図８】
2006157612.tif 000010
【図９】
2006157612.tif 000011
【図１０】
2006157612.tif 000012
【図１１】
2006157612.tif 000013
【図１２】
2006157612.tif 000014